(57)【要約】【課題】炭酸ガスを排出して地球の環境を汚損することなく、また、設置場所や気象条件などに左右されることなく、安定した電力供給を行うことができる発電システムを提供すること。【解決手段】本発明では、発電システムにおいて、重力の作用で複数の球体を連続して滑落させる傾斜状の球体通路に発電装置の羽根車を配置し、球体通路に沿って下降する球体によって羽根車を回転させて発電するように構成することにした。また、前記球体が下降する下降側の球体通路の終端部に下降した球体が上昇する上昇側の球体通路の始端部を接続するとともに、上昇側の球体通路の終端部から下降側の球体通路の始端部に球体を搬送する搬送機構を設けることにした。さらに、一対の搬送機構の間に一対の球体通路を介設し、一方の球体通路の下降側始端部と他方の球体通路の上昇側終端部をそれぞれの搬送機構に連結することにした。【選択図】図１
2013024115.tif 000002
【特許請求の範囲】
【請求項１】
重力の作用で複数の球体を連続して滑落させる傾斜状の球体通路に発電装置の羽根車を配置し、球体通路に沿って下降する球体によって羽根車を回転させて発電するように構成したことを特徴とする発電システム。
【請求項２】
前記球体が下降する下降側の球体通路の終端部に下降した球体が上昇する上昇側の球体通路の始端部を接続するとともに、上昇側の球体通路の終端部から下降側の球体通路の始端部に球体を搬送する搬送機構を設けたことを特徴とする請求項１に記載の発電システム。
【請求項３】
一対の搬送機構の間に一対の球体通路を介設し、一方の球体通路の下降側始端部と他方の球体通路の上昇側終端部をそれぞれの搬送機構に連結したことを特徴とする請求項２に記載の発電システム。
【発明の詳細な説明】
【技術分野】
【０００１】
本発明は、発電システムに関するものであり、重力の法則を利用した発電システムに関するものである。
【背景技術】
【０００２】
発電システムとしては、原子力や火力や水力や風力や太陽光などを利用した様々な発電形態のものが開発されている。
【０００３】
特に近年では、環境に優しいエネルギーとして炭酸ガスを排出しない自然エネルギーが注目されており、自然エネルギーを有効に利用した風力発電システムや太陽光発電システムなどが積極的に開発されている（たとえば、特許文献１参照。）。
【先行技術文献】
【特許文献】
【０００４】
【特許文献１】特開２０１１−１２５２０６号公報
【発明の概要】
【発明が解決しようとする課題】
【０００５】
ところが、風力発電システムや太陽光発電システムなどの自然エネルギーを有効利用した発電システムでは、設置場所や気象条件などによって連続して発電を行うことが困難であり、安定した電力供給ができないものであった。
【課題を解決するための手段】
【０００６】
そこで、請求項１に係る本発明では、発電システムにおいて、重力の作用で複数の球体を連続して滑落させる傾斜状の球体通路に発電装置の羽根車を配置し、球体通路に沿って下降する球体によって羽根車を回転させて発電するように構成することにした。
【０００７】
また、請求項２に係る本発明では、前記請求項１に係る本発明において、前記球体が下降する下降側の球体通路の終端部に下降した球体が上昇する上昇側の球体通路の始端部を接続するとともに、上昇側の球体通路の終端部から下降側の球体通路の始端部に球体を搬送する搬送機構を設けることにした。
【０００８】
また、請求項３に係る本発明では、前記請求項２に係る本発明において、一対の搬送機構の間に一対の球体通路を介設し、一方の球体通路の下降側始端部と他方の球体通路の上昇側終端部をそれぞれの搬送機構に連結することにした。
【発明の効果】
【０００９】
そして、本発明では、以下に記載する効果を奏する。
【００１０】
すなわち、本発明では、発電システムにおいて、重力の作用で複数の球体を連続して滑落させる傾斜状の球体通路に発電装置の羽根車を配置し、球体通路に沿って下降する球体によって羽根車を回転させて発電するように構成しているために、重力エネルギーを有効に利用して連続して発電を行うことができ、炭酸ガスを排出して地球の環境を汚損することなく、また、設置場所や気象条件などに左右されることなく、安定した電力供給を行うことができる。
【００１１】
特に、球体が下降する下降側の球体通路の終端部に下降した球体が上昇する上昇側の球体通路の始端部を接続するとともに、上昇側の球体通路の終端部から下降側の球体通路の始端部に球体を搬送する搬送機構を設けた場合には、搬送機構で球体を搬送する距離を短くすることができ、搬送機構で消費されるエネルギーロスを少なくすることができる。
【００１２】
さらに、一対の搬送機構の間に一対の球体通路を介設し、一方の球体通路の下降側始端部と他方の球体通路の上昇側終端部をそれぞれの搬送機構に連結した場合には、搬送機構で球体を搬送する距離をより一層短くすることができ、搬送機構で消費されるエネルギーロスをより一層少なくすることができる。
【図面の簡単な説明】
【００１３】
【図１】本発明に係る発電システムを示す斜視図。
【図２】同側面図。
【図３】搬送機構を示す正面断面図。
【発明を実施するための形態】
【００１４】
以下に、本発明に係る発電システムの具体的な構成について図面を参照しながら説明する。
【００１５】
図１〜図３に示すように、発電システム１は、球体２を滑落させるための左右一対の球体通路機構3,4を前後一対の搬送機構5,6の間に取付けている。
【００１６】
球体２は、鉛や鉄などの重量物の球状体からなるものを用い、比重の重い素材からなるものが望ましい。
【００１７】
球体通路機構3,4は、球体２が下降する傾斜状の下降側の球体通路3d,4dと、球体２が上昇する傾斜状の上昇側の球体通路3u,4uと、球体２の運動エネルギーの損失を少なくしたクロソイド曲線等からなる曲線状の球体通路3s,4sとで構成している。
【００１８】
左側の球体通路機構３は、後側の搬送機構６の上部左側に下降側の球体通路3dの上端始端部を接続し、球体通路3dの下端終端部に曲線状の球体通路3sの前端始端部を連設し、球体通路3sの後端終端部に上昇側の球体通路3uの下端始端部を連設し、球体通路3uの上端終端部を前側の搬送機構５の中途部左側に接続している。
【００１９】
右側の球体通路機構４は、前側の搬送機構５の上部右側に下降側の球体通路4dの上端始端部を接続し、球体通路4dの下端終端部に曲線状の球体通路4sの前端始端部を連設し、球体通路4sの後端終端部に上昇側の球体通路4uの下端始端部を連設し、球体通路4uの上端終端部を後側の搬送機構６の中途部右側に接続している。
【００２０】
また、球体通路機構3,4は、下降側の球体通路3d,4dの下側に複数個（ここでは、３個）の発電装置7,8,9をそれぞれ取付けており、発電装置7,8,9の羽根車10,11,12の先端を球体通路3d,4dの表面に突出させている。各発電装置7,8,9は、羽根車10,11,12の回転によって発電する構成となっている。
【００２１】
搬送機構5,6は、球体２を連続して搬送する搬送コンベア13を内蔵しており、搬送コンベア13で球体２を上昇側の球体通路3u,4uの上端終端部から下降側の球体通路3d,4dの上端始端部まで搬送する。
【００２２】
発電システム１は、以上に説明した構成となっており、球体通路機構3,4と搬送機構5,6との間に複数個の球体２を連続して循環させることで、複数個の球体２が重力の作用で傾斜状の下降側の球体通路3d,4dに沿って連続して滑落し、各球体２が球体通路3d,4dの途中で発電装置7，8，9の羽根車10,11,12を回転させ、これにより、各発電装置7,8,9で発電を行うようにしている。
【００２３】
このように、上記発電システム１は、重力の作用で複数の球体２を連続して滑落させる傾斜状の球体通路3d,4dに発電装置7,8,9の羽根車10,11,12を配置し、球体通路3d,4dに沿って下降する球体２によって羽根車10,11,12を回転させて発電するように構成している。
【００２４】
そのため、上記構成の発電システム１では、重力エネルギーを有効に利用して連続して発電を行うことができ、炭酸ガスを排出して地球の環境を汚損することなく、また、設置場所や気象条件などに左右されることなく、安定した電力供給を行うことができる。
【００２５】
また、上記発電システム１は、球体２が下降する下降側の球体通路3d,4dの終端部に下降した球体２が上昇する上昇側の球体通路3u,4uの始端部を接続（ここでは、曲線状の球体通路3s,4sを介して接続）するとともに、上昇側の球体通路3u,4uの終端部から下降側の球体通路3d,4dの始端部に球体２を搬送する搬送機構5,6を設けた構成となっている。
【００２６】
そのため、上記構成の発電システム１では、搬送機構5,6で球体２を搬送する距離を短くすることができ、搬送機構5,6で消費されるエネルギーロスを少なくすることができる。
【００２７】
さらに、上記発電システム１は、一対の搬送機構5,6の間に一対の球体通路（球体通路機構3,4)を介設し、一方の球体通路3d(4d)の下降側始端部と他方の球体通路4u(3u)の上昇側終端部をそれぞれの搬送機構5,6に連結した構成となっている。
【００２８】
そのため、上記構成の発電システム１では、搬送機構5,6で球体２を搬送する距離をより一層短くすることができ、搬送機構5,6で消費されるエネルギーロスをより一層少なくすることができる。
【符号の説明】
【００２９】
１  発電システム
２  球体
3,4  球体通路機構
3d,3u,3s,4d,4u,4s  球体通路
5,6  搬送機構
7,8,9  発電装置
10,11,12  羽根車
13  搬送コンベア
【図１】
2013024115.tif 000003
【図２】
2013024115.tif 000004
【図３】
2013024115.tif 000005